(57)【要約】【課題】外部からの電波の影響を受けない測定信号を受信する。【解決手段】信号処理装置１００は、携帯情報端末装置２００との間で無線通信を行うもので、測定対象物ＤＵＴからの測定信号Ｓに対して所定の信号処理を行う信号処理部１０と、制御装置４０とを備える。制御装置４０は、信号処理部から所定の信号処理がされた測定信号が入力されると、測定信号に対し所定の解析処理を行う解析処理部４０ｂと、解析処理部によって所定の解析処理をした結果を携帯情報端末装置に無線送信し、また、携帯情報端末装置からの信号を受信する通信処理部４０ｄと、信号処理部が測定対象物から測定信号を受信する間、携帯情報端末装置の無線通信を停止させる信号処理制御部４０ｃとを備える。【選択図】図２
2015129732.tif 000002
【特許請求の範囲】
【請求項１】
携帯情報端末装置（２００）との間で無線通信を行う信号処理装置（１００）であって、
測定対象物（ＤＵＴ）からの測定信号（Ｓ）に対して所定の信号処理を行う信号処理部（１０）と、
前記信号処理部から所定の信号処理がされた測定信号が入力されると、該測定信号に対し所定の解析処理を行う解析処理部（４０ｂ）と、該解析処理部によって所定の解析処理をした結果を前記携帯情報端末装置に無線送信し、また、前記携帯情報端末装置からの信号を受信する通信処理部（４０ｄ）と、前記信号処理部が前記測定対象物から前記測定信号を受信する間、前記携帯情報端末装置の無線通信を停止させる信号処理制御部（４０ｃ）とを備える制御装置（４０）とを備える信号処理装置。
【請求項２】
前記信号処理部が前記測定対象物から測定信号の受信を開始する前に、前記信号処理制御部が、前記携帯情報端末装置に対し電波出力禁止命令信号を出力し、前記信号処理制御部が、前記測定対象物からの測定信号の受信が終了したことを検知すると、該信号処理制御部が、前記携帯情報端末装置に対し電波出力許可命令信号を出力することを特徴とする請求項１に記載の信号処理装置。
【請求項３】
さらに、表示装置（３０）を備え、
前記制御装置（４０）が、さらに、前記表示装置の動作を制御するための表示装置制御部（４０ａ）を備えることを特徴とする請求項１または請求項２に記載の信号処理装置。
【請求項４】
携帯情報端末装置（２００）との間で無線通信を行い、
測定対象物（ＤＵＴ）からの測定信号（Ｓ）に対して所定の信号処理を行う信号処理部（１０）と、
前記信号処理部から所定の信号処理がされた測定信号が入力されると、該測定信号に対し所定の解析処理を行う解析処理部（４０ｂ）と、該解析処理部によって所定の解析処理をした結果を前記携帯情報端末装置に無線送信し、また、前記携帯情報端末装置からの信号を受信する通信処理部（４０ｄ）と、前記信号処理部が前記測定対象物から前記測定信号を受信する間、前記携帯情報端末装置の無線通信を停止させる信号処理制御部（４０ｃ）とを備える制御装置（４０）とを備える信号処理装置による信号処理方法であって、
前記解析処理部が、前記測定対象物から測定信号の受信を開始（Ｓ４１）する前に、前記信号処理制御部が、前記携帯情報端末装置に対し電波出力禁止命令信号を出力し（Ｓ４０）、前記信号処理制御部が、前記測定対象物からの測定信号の受信が終了したことを検知すると（Ｓ４３）、前記信号処理制御部が、前記携帯情報端末装置に対し電波出力許可命令信号を出力する（Ｓ４４）、信号処理方法。
【請求項５】
さらに、前記解析処理部が、前記測定対象物からの前記測定信号に対して所定の信号解析を実行して（Ｓ４６）、該所定の信号解析の結果を表示する（Ｓ４７）ことを特徴とする請求項４に記載の信号処理方法。
【請求項６】
信号処理装置（１００）と、該信号処理装置との間で無線通信を行う携帯情報端末装置（２００）とを備える信号処理システムであって、
前記信号処理装置（１００）が、
測定対象物（ＤＵＴ）からの測定信号（Ｓ）に対して所定の信号処理を行う信号処理部（１０）と、
前記信号処理部から所定の信号処理がされた測定信号が入力されると、該測定信号に対し所定の解析処理を行う解析処理部（４０ｂ）と、該解析処理部によって所定の解析処理をした結果を前記携帯情報端末装置に無線送信し、また、前記携帯情報端末装置からの信号を受信する通信処理部（４０ｄ）と、前記信号処理部が前記測定対象物から前記測定信号を受信する間、前記携帯情報端末装置の無線通信を停止させる信号処理制御部（４０ｃ）とを備える制御装置（４０）とを備え、
前記携帯情報端末装置（２００）が、
表示装置（２３０）と、
前記信号処理装置との間で無線通信を行う通信処理部（２４０ｃ）と、前記信号処理装置からの無線通信の禁止命令に応答して前記通信処理部による無線通信を停止させる信号処理制御部（２４０ｂ）と、前記表示装置の制御を行う表示装置制御部（２４０ａ）とを備える制御装置（２４０）とを備える信号処理システム。
【請求項７】
前記信号処理装置（１００）の前記信号処理部が前記測定対象物から測定信号の受信を開始する前に、前記信号処理制御部（４０ｃ）が、前記携帯情報端末装置に対し電波出力禁止命令信号を出力し、前記信号処理制御部が、前記測定対象物からの測定信号の受信が終了したことを検知すると、該信号処理制御部が、前記携帯情報端末装置に対し電波出力許可命令信号を出力することを特徴とする請求項６に記載の信号処理システム。
【請求項８】
前記信号処理装置（１００）の前記信号処理制御部（４０ｃ）が、電波出力許可命令信号を出力し、
携帯情報端末装置（２００）の前記信号処理制御部（２４０ｂ）が、前記信号処理制御部（４０ｃ）からの電波出力許可命令信号を受信した後一定時間通信処理部（２４０ｃ）の通信を可能にすることによって、少なくとも、前記信号処理部（１０）が前記測定対象物から前記測定信号を受信する間、前記携帯情報端末装置の無線通信を停止させることを特徴とする請求項６に記載の信号処理システム。
【発明の詳細な説明】
【技術分野】
【０００１】
本発明は、スペクトラムアナライザなどの信号処理装置、信号処理方法および信号処理システムに関する。
【背景技術】
【０００２】
従来、例えば、測定対象物から出力される信号に対して、指定された周波数範囲を掃引しながら指定された分析帯域幅で各周波数の振幅値を検出し、この検出値から信号波形、スペクトラム等の画像情報を生成して表示器に表示するための測定器が知られている（例えば、特許文献１参照）。
【０００３】
この測定器は、信号処理装置として、端末装置間で電子メールの伝送が可能なネットワークに接続するための通信インタフェースを備え、端末装置から電子メールを介してコマンド情報を受信すると、測定によって得られた画像情報を電子メールに添付して端末装置に通知するように機能する。
【０００４】
これにより、端末装置において、添付ファイルに含まれる画像から信号波形やスペクトラム波形を確認することができるようになっている（例えば、特許文献１参照）。
【先行技術文献】
【特許文献】
【０００５】
【特許文献１】特許第３７７９１９８号（特開２００３−１５２８８２号公報）
【発明の概要】
【発明が解決しようとする課題】
【０００６】
スペクトルアナライザなどの信号処理装置は、筐体のシールド性が高く、自己や他の装置からの通信の電波を含む外部からの電波の影響を受けることはない。
【０００７】
しかし、測定対象物と信号処理装置との間を接続する同軸ケーブルがアンテナとして機能してしまい、特許文献１の測定装置のような装置では、測定対象物から信号処理装置（測定装置）に測定信号を送信している際に、同軸ケーブルが、測定装置と端末装置との間での通信による電波を拾うことがある。
【０００８】
また、シールドボックスに格納されている測定対象物に第１のアンテナを設け、そのシールドボックス内に配置した第２のアンテナを信号処理装置に接続し、シールドボックス内において、第１のアンテナから発せられる電波を第２のアンテナで受信して測定対象物からの測定信号を信号処理装置に送信するように構成したものがある。この構成では、シールドボックスと信号処理装置との間の接続部分が、信号処理装置と端末装置との間の通信の電波を拾ってしまうことがある。
【０００９】
このように、測定対象物からの測定信号がその電波の影響を受けると、その影響が測定結果にノイズとして現れることがある。
【００１０】
本発明は、上述のような課題に鑑みてなされたものであり、外部からの電波の影響を受けない測定信号を受信することができる信号処理装置、信号処理方法および信号処理システムを提供することを目的とする。
【課題を解決するための手段】
【００１１】
本発明の請求項１に係る信号処理装置（１００）は、携帯情報端末装置（２００）との間で無線通信を行う信号処理装置（１００）であって、測定対象物（ＤＵＴ）からの測定信号（Ｓ）に対して所定の信号処理を行う信号処理部（１０）と、前記信号処理部から所定の信号処理がされた測定信号が入力されると、該測定信号に対し所定の解析処理を行う解析処理部（４０ｂ）と、該解析処理部によって所定の解析処理をした結果を前記携帯情報端末装置に無線送信し、また、前記携帯情報端末装置からの信号を受信する通信処理部（４０ｄ）と、前記信号処理部が前記測定対象物から前記測定信号を受信する間、前記携帯情報端末装置の無線通信を停止させる信号処理制御部（４０ｃ）とを備える制御装置（４０）とを備える。
【００１２】
この構成により、本発明の請求項１に係る信号処理装置（１００）によると、外部からの電波の影響を受けない測定信号を受信することができるようになる。
【００１３】
本発明の請求項２に係る信号処理装置において、前記信号処理部が前記測定対象物から測定信号の受信を開始する前に、前記信号処理制御部が、前記携帯情報端末装置に対し電波出力禁止命令信号を出力し、前記信号処理制御部が、前記測定対象物からの測定信号の受信が終了したことを検知すると、該信号処理制御部が、前記携帯情報端末装置に対し電波出力許可命令信号を出力するように構成されている。
【００１４】
この構成により、本発明の請求項２に係る信号処理装置は、測定対象物から測定信号の受信を行っている間、携帯情報端末装置から信号処理装置への無線通信を停止させることができる。
【００１５】
本発明の請求項３に係る信号処理装置において、さらに、表示装置（３０）を備え、前記制御装置（４０）が、さらに、前記表示装置の動作を制御するための表示装置制御部（４０ａ）を備えるように構成されている。
【００１６】
この構成により、本発明の請求項３に係る信号処理装置によると、表示装置を有するため、信号処理装置側で解析処理の結果を確認することができる。
【００１７】
本発明の請求項４に係る信号処理方法は、携帯情報端末装置（２００）との間で無線通信を行い、測定対象物（ＤＵＴ）からの測定信号（Ｓ）に対して所定の信号処理を行う信号処理部（１０）と、前記信号処理部から所定の信号処理がされた測定信号が入力されると、該測定信号に対し所定の解析処理を行う解析処理部（４０ｂ）と、該解析処理部によって所定の解析処理をした結果を前記携帯情報端末装置に無線送信し、また、前記携帯情報端末装置からの信号を受信する通信処理部（４０ｄ）と、前記信号処理部が前記測定対象物から前記測定信号を受信する間、前記携帯情報端末装置の無線通信を停止させる信号処理制御部（４０ｃ）とを備える制御装置（４０）とを備える信号処理装置による信号処理方法であって、前記解析処理部が、前記測定対象物から測定信号の受信を開始（Ｓ４１）する前に、前記信号処理制御部が、前記携帯情報端末装置に対し電波出力禁止命令信号を出力し（Ｓ４０）、前記信号処理制御部が、前記測定対象物からの測定信号の受信が終了したことを検知すると（Ｓ４３）、前記信号処理制御部が、前記携帯情報端末装置に対し電波出力許可命令信号を出力する（Ｓ４４）。
【００１８】
この構成により、本発明の請求項４に係る信号処理方法によると、外部からの電波の影響を受けない測定信号を受信することができるようになる。
【００１９】
本発明の請求項５に係る信号処理方法において、さらに、前記解析処理部が、前記測定対象物からの前記測定信号に対して所定の信号解析を実行して（Ｓ４６）、該所定の信号解析の結果を表示する（Ｓ４７）ことを特徴とする。
【００２０】
この構成により、本発明の請求項５に係る信号処理方法によると、外部からの電波の影響を受けない測定信号の解析結果を表示することができる。
【００２１】
本発明の請求項６に係る信号処理システムは、信号処理装置（１００）と、該信号処理装置との間で無線通信を行う携帯情報端末装置（２００）とを備える信号処理システムであって、前記信号処理装置（１００）が、測定対象物（ＤＵＴ）からの測定信号（Ｓ）に対して所定の信号処理を行う信号処理部（１０）と、前記信号処理部から所定の信号処理がされた測定信号が入力されると、該測定信号に対し所定の解析処理を行う解析処理部（４０ｂ）と、該解析処理部によって所定の解析処理をした結果を前記携帯情報端末装置に無線送信し、また、前記携帯情報端末装置からの信号を受信する通信処理部（４０ｄ）と、前記信号処理部が前記測定対象物から前記測定信号を受信する間、前記携帯情報端末装置の無線通信を停止させる信号処理制御部（４０ｃ）とを備える制御装置（４０）とを備え、前記携帯情報端末装置（２００）が、表示装置（２３０）と、前記信号処理装置との間で無線通信を行う通信処理部（２４０ｃ）と、前記信号処理装置からの無線通信の禁止命令に応答して前記通信処理部による無線通信を停止させる信号処理制御部（２４０ｂ）と、前記表示装置の制御を行う表示装置制御部（２４０ａ）とを備える制御装置（２４０）とを備える。
【００２２】
この構成により、本発明の請求項６に係る信号処理システムによると、信号処理装置が測定対象物から測定信号を受信する際に、測定信号は、携帯情報端末装置からの電波の影響を受けることがなくなる。
【００２３】
本発明の請求項７に係る信号処理システムにおいて、前記信号処理装置（１００）の前記信号処理部が前記測定対象物から測定信号の受信を開始する前に、前記信号処理制御部（４０ｃ）が、前記携帯情報端末装置に対し電波出力禁止命令信号を出力し、前記信号処理制御部が、前記測定対象物からの測定信号の受信が終了したことを検知すると、該信号処理制御部が、前記携帯情報端末装置に対し電波出力許可命令信号を出力するように構成されている。
【００２４】
この構成により、本発明の請求項７に係る信号処理システムによると、信号処理装置において測定対象物から測定信号の受信を行っている間、携帯情報端末装置から信号処理装置への無線通信を停止させることができる。
【００２５】
本発明の請求項８に係る信号処理システムにおいて、前記信号処理装置（１００）の前記信号処理制御部（４０ｃ）が、電波出力許可命令信号を出力し、携帯情報端末装置（２００）の前記信号処理制御部（２４０ｂ）が、前記信号処理制御部（４０ｃ）からの電波出力許可命令信号を受信した後一定時間通信処理部（２４０ｃ）の通信を可能にすることによって、少なくとも、前記信号処理部（１０）が前記測定対象物から前記測定信号を受信する間、前記携帯情報端末装置の無線通信を停止させるように構成されている。
【００２６】
この構成により、請求項８に係る信号処理システムによると、通常、携帯情報端末装置から信号処理装置への無線通信が停止されるため、確実に、信号処理装置において測定対象物から測定信号の受信を行っている間、携帯情報端末装置から信号処理装置への無線通信を停止させることができる。
【発明の効果】
【００２７】
本発明は、外部からの電波の影響を受けない測定信号を受信することができる信号処理装置、信号処理方法および信号処理システムを提供することができる。
【図面の簡単な説明】
【００２８】
【図１】本発明の実施の形態に係る信号処理システムを構成する信号処理装置および携帯情報端末装置の外観の簡略化した構成を示す図である。
【図２】本発明の実施の形態に係る信号処理装置の構成を示す機能ブロック図である。
【図３】本発明の実施の形態に係る携帯情報端末装置の構成を示す機能ブロック図である。
【図４】本発明の実施の形態に係る信号処理装置と携帯情報端末装置との間でのタイムシーケンスの一例を示す図である。
【図５】本発明の実施の形態に係る信号処理装置における電波出力禁止処理および解析結果表示処理の一例のフローチャートを示す図である。
【図６】本発明の他の実施の形態に係る信号処理装置における電波出力許可処理の一例のフローチャートを示す図である。
【発明を実施するための形態】
【００２９】
以下、本発明の実施の形態に係る信号処理装置、信号処理方法および信号処理システムについて、図面を参照しながら説明する。
【００３０】
なお、図面の理解の容易さの観点から、図面において、信号波形は、実際の測定値に基づくものではなく、抽象化もしくは簡略化したもの、または観念的に表したものである。
【００３１】
本発明の実施の形態に係る信号処理装置は、概略を説明すると、例えば、携帯電話装置や基地局などの検査対象物（Device Under Test；ＤＵＴ）の設計時に作成されたテストパターンに基づいて検査対象物を測定した測定信号の解析処理を行うためのものである。
【００３２】
ここで、ＤＵＴ２０は、検査対象物で、例えば、ＬＴＥ、ＬＴＥ−Ａｄｖａｎｃｅｄ、ＷＣＤＭＡ（登録商標）、ｃｄｍａ２０００、ＰＤＣ、ＰＨＳ、ＩＥＥＥ８０２．１１ａ、ＩＥＥＥ８０２．１１ｂ、ＩＥＥＥ８０２．１１ｇ、ＩＥＥＥ８０２．１１ｎ、ＩＥＥＥ８０２．１１ａｃの通信規格を採用する携帯電話装置や基地局などである。
【００３３】
本発明の実施の形態に係る信号処理装置は、例えば、測定信号に対し所定の処理ソフト（スペクトラムアナライズソフトウェア）を用いて所望の周波数スペクトラム波形となるグラフを生成し、さらに、この周波数スペクトラム波形のパターン認識処理を行って信号成分を分離させた後、信号成分の中心周波数、信号帯域幅、入力電力値などをパラメータとして、変調システム（通信方式）に応じて特定される解析ソフト（変調システム解析ソフトウェア）に基づいて解析処理を行う。
【００３４】
本発明の実施の形態に係る信号処理装置は、これにより、測定信号の劣化の割合を示す変調精度、キャリア周波数、送信電力や規格値とのマッチングの程度などを判別することができるものである。
【００３５】
詳細に説明すると、図１に、本発明の実施の形態にかかる信号処理装置１００と携帯情報端末装置２００とを備える信号処理装置システムの簡略化した外観構成を示す。信号処理装置１００と携帯情報端末装置２００とは、それぞれ、アンテナ１２０、２２０を介して無線通信を行うことができる。
【００３６】
信号処理装置１００は、手前側のフロントパネルに、各種のキーを備えるパネル部分１１０を備える。さらに、その信号処理装置１００の手前側のフロントパネルには、図１に示すように、表示装置３０を組み込むことができる。また、信号処理装置１００は、後述するように、筐体の内部に、信号処理部１０（図２）、制御装置４０（図２）等を備える。
【００３７】
携帯情報端末装置２００は、信号処理装置１００に組み込んだ表示装置３０と同様の構成の表示装置２３０を備える。携帯情報端末装置２００は、後述するように、筐体の内部に、信号処理装置１００との通信を処理する通信処理部２４０ｄ（図３）を含む制御装置２４０を備える。
【００３８】
信号処理装置１００のパネル部分１１０は、電源スイッチ、主機能の設定、実行のためのファンクションキー、ファンクションキーを選択・実行するためのキーを備える。また、信号処理装置１００のパネル部分１１０は、表示項目の選択や設定の変更のためのロータリノブ・カーソルキー・Ｅｎｔｅｒキー・Ｃａｎｃｅｌキー、シフトキー、テンキー等の切り替えスイッチ類も備える。
【００３９】
また、パネル部分１１０は、リモート制御状態のときに点灯するリモートランプ、ＲＦ信号を入力するためのＲＦ入力コネクタ、ＵＳＢメモリやＵＳＢタイプのキーボードやマウスを接続するためのＵＳＢコネクタ等も備える。
【００４０】
表示装置３０は、信号処理装置１００に、取り外し自在に取り付けられている。
【００４１】
図２は、本発明の実施の形態に係る信号処理装置１００の機能ブロック図である。図２に示すように、信号処理装置１００は、信号処理部１０と制御装置４０と操作部５０とを備える。必要に応じて、信号処理装置１００は、表示装置３０を含んでもよい。
【００４２】
測定対象物のＤＵＴ１と信号処理部１０とは同軸ケーブルで接続されている。
【００４３】
なお、ＤＵＴ１と信号処理部１０とを同軸ケーブルで接続せずに、図示しないが、例えば、ＤＵＴ１にアンテナを設け、それらをシールドボックスに格納し、また、そのシールドボックスに別のアンテナを格納するとともに、そのアンテナを同軸ケーブルによって信号処理部１０に接続して、シールドボックス内において、ＤＵＴ１のアンテナから出力される電波の測定信号を信号処理部１０に接続されているアンテナで受信するように構成してもよい。
【００４４】
信号処理部１０は、ＡＴＴ（アッテネータ；減衰器）１１、局部発振器（local oscillator；ＬＯ）１２、周波数混合器（ＭＩＸ）１３、増幅器１４、ＩＦ（intermediate frequency；中間周波）フィルタ１５、ＩＦ増幅器１６、検波器１７、ビデオ・フィルタ（Video Band Width；ＶＢＷ）１８、増幅器１９、ＡＤＣ（アナログ・デジタル・コンバータ）２０、掃引部２１、および、ＡＤＣ２２を備える。
【００４５】
ＡＴＴ１１は、内部に抵抗を有し、ＤＵＴ１からの高周波の測定信号Ｓを信号分析可能で測定に影響を与えない最適なミキサ入力レベル（例えば、デシベル）に減衰させるためのもので、インピーダンスを変化させない電子部品である。
【００４６】
局部発振器１２は、ローカル信号として、元の測定信号Ｓの周波数の値よりも変換先の周波数の値の分だけ高い周波数あるいは低い周波数の正弦波を発生させるものである。局部発振器１２から発振されるローカル信号は、掃引部２１から出力される掃引ランプ信号により所定の周波数範囲にわたって掃引される。
【００４７】
周波数混合器１３は、ヘテロダイン式のスペクトラムアナライザの特徴的な構成要素で、ＡＴＴ１１で減衰された測定信号Ｓと局部発振器１２から発振されたローカル信号とを混合し、２つの信号の和および差の周波数成分を含む出力信号を生成するものである。この周波数混合器１３からは、掃引動作に同期して変化する中間周波数を含む周波数信号である中間周波数信号が出力される。
【００４８】
このように、測定の対象とする周波数（ＡＴＴ１１で減衰された測定信号Ｓの周波数）に合わせて、局部発振器１２の発振周波数を調整することにより、つまり、測定の対象とする周波数から予め決めた分だけ離れた周波数に設定することにより、測定の対象とする周波数の近傍のスペクトラムを予め決めた固定の周波数（中間周波数；ＩＦ）の近傍に写像したような信号を得ることができる。
【００４９】
増幅器１４は、周波数混合器１３からの中間周波数信号を増幅してＩＦフィルタ１５に出力するものである。
【００５０】
ＩＦフィルタ１５は、本実施の形態の場合、アナログのバンドパス・フィルタなどで構成されるＲＢＷ（Resolution Band Width）フィルタおよび対数増幅器（ログアンプ）によって構成されている。
【００５１】
周波数混合器１３からの出力には、測定の対象とする周波数の近傍のスペクトラムに対応する信号成分が中間周波数を中心として現れる。このため、その出力をＩＦフィルタ１５のようにＲＢＷフィルタのような中心周波数が固定の帯域通過フィルタを通すことによって、その周波数の近傍の所定の測定周波数範囲の信号成分を取り出すことができる。
【００５２】
測定周波数範囲は、ＩＦフィルタ１５の中心周波数と局部発振器１２から発振されるローカル信号の周波数範囲とによって決定される。
【００５３】
ＩＦフィルタ１５は、周波数混合器１３によって測定信号Ｓとローカル信号とを混合させた中間周波数信号がＩＦフィルタ１５の中心周波数の所定の範囲内にあるときに、増幅器１４で増幅された中間周波数信号を出力する。
【００５４】
また、ＩＦフィルタ１５は、対数増幅器（ログアンプ）を備えている。対数増幅器（ログアンプ）は、測定信号Ｓの対数に対応する増幅信号を出力する増幅器なので、このようなＩＦフィルタ１５に測定信号Ｓを通過させると、測定信号Ｓを対数圧縮した大きなダイナミック・レンジの信号として一括して扱うことができるようになる。このため、信号処理装置１００は、リニアな表示デバイスを用いてデシベルに対応した表示を行うことができるようになる。
【００５５】
本実施の形態においては、周波数混合器１３から出力される中間周波数信号が掃引動作に同期して変化する。このため、その変化に応じて、ＩＦフィルタ１５によって、１掃引時間（掃引期間）内において、時間経過とともに中間周波数信号に変換された測定信号Ｓの各周波数成分における時系列波形である信号が抽出される。
【００５６】
ＩＦ増幅器１６は、設定される利得に応じてＩＦフィルタ１５から出力される信号の振幅レベルを制御する。これにより、ＩＦ増幅器１６の利得を変化させると、後述する表示装置３０の表示パネル３１の信号表示部３１ａにグラフ化されて表示される信号（周波数スペクトラム波形）の振幅レベルを変化させることができる。
【００５７】
検波器１７は、ＩＦフィルタ１５で抽出されて、ＩＦ増幅器１６で振幅レベルが変化された信号を直流に変換する構成要素であり、スペクトラムアナライザとしては、主として包絡線検波器が用いられている。
【００５８】
検波器１７は、ＩＦ増幅器１６から出力されたアナログの周波数スペクトラム波形における各時間軸位置のピーク値を検出し、包絡線検波された状態の最終的な周波数スペクトラム波形を出力する。
【００５９】
検波器１７によって掃引期間内において検波された信号は、掃引された周波数における時系列波形の大きさを示す。したがって、表示パネル３１における信号表示部３１ａにおいて、横軸を周波数、縦軸を振幅レベル（デシベル）としてグラフを表示すると、その表示されるグラフは周波数スペクトラム波形になる。
【００６０】
ビデオ・フィルタ１８は、ビデオ帯域幅（ＶＢＷ）フィルタであり、検波器１７によって検波された信号のスペクトラムに対してではなく、検波された信号の時間変動に対するフィルタとして機能する。この機能により、ビデオ・フィルタ１８は、測定信号Ｓの周波数ごとの強度を求め、周波数スペクトラム波形を表示するための映像信号を出力する。
【００６１】
増幅器１９は、ビデオ・フィルタ１８から入力される映像信号を増幅した後、ＡＤＣ２０に出力する。
【００６２】
ＡＤＣ２０は、増幅器１９からの増幅された映像信号をデジタルデータに変換し、その変換したデータを、表示装置３０での周波数スペクトラム波形のグラフ表示を制御するための制御装置４０に出力する。
【００６３】
掃引部２１は、局部発振器１２から発振されるローカル信号を所定の周波数範囲にわたって掃引させるための掃引ランプ信号を生成するもので、掃引ランプ信号の生成を、設定される掃引時間に応じて制御するものである。
【００６４】
ＡＤＣ２２は、掃引部２１において生成される掃引ランプ信号をデジタルデータに変換して制御装置４０に出力する。
【００６５】
これにより、制御装置４０では、ＡＤＣ２２からのデジタルデータを基準として、掃引部２１における掃引ランプ信号を生成するための掃引期間などを制御する。
【００６６】
制御装置４０は、ＲＯＭ４２に格納されているプログラムを読み込んで所定の動作を行うため、表示装置制御部４０ａ、解析処理部４０ｂ、信号処理制御部４０ｃおよび通信処理部４０ｄを備える。
【００６７】
表示装置制御部４０ａは、表示装置３０または２３０の表示を制御するためのもので、解析処理部４０ｂは、測定対象物のＤＵＴ１からの測定信号Ｓに対しユーザ所望の解析処理を行うためのものである。
【００６８】
また、通信処理部４０ｄは、信号処理装置１００と携帯情報端末装置２００との間での無線通信を行う。このため、信号処理制御部４０ｃは、通信処理部４０ｄによる携帯情報端末装置２００との間での無線通信を所定の期間停止させるように機能することができる。
【００６９】
制御装置４０には、ＲＡＭ（ランダム・アクセス・メモリ）４１、格納手段としてのＲＯＭ（リード・オンリ・メモリ）４２が接続されている。
【００７０】
表示装置３０は、表示パネル３１とタッチパネル３２とを備えている。表示パネル３１は、例えば、制御装置４０からの映像信号を表示する信号表示部３１ａと、所定の画像を表示する画像表示部３１ｂとを備えている。
【００７１】
タッチパネル３２は、信号表示部３１ａおよび画像表示部３１ｂに対応して設けられ、ユーザ（信号処理装置１００の操作者）によるタッチ操作を検知するタッチセンサ３２ａを備えている。
【００７２】
本実施の形態において、表示装置３０は、例えば、液晶ディスプレイ（Liquid Crystal Display）やＥＬディスプレイ（Electroluminescence Display）などの、フラットパネル・ディスプレイを用いて構成されている。
【００７３】
また、タッチパネル３２としては、例えば、人体の一部（指先など）や静電ペンなどの接触を検知して、その検知信号を制御装置４０に出力する静電容量方式のものを用いることができる。それに代えて、ペン先などの堅い物質の接触を検知して、その検知信号を制御装置４０に出力する方式のものや、その他の方式（例えば、ＬＣＤパネル内にタッチパネルを内蔵するイン・セル型やオン・セル型の構造）のものであってもよい。
【００７４】
表示装置３０において、表示パネル３１の信号表示部３１ａに制御装置４０から映像信号が入力されると、測定信号Ｓの周波数軸上の強度を周波数ドメイン（横軸を周波数、縦軸を振幅レベル）とする、周波数スペクトラム波形のグラフが表示される。このグラフは、後述するスペクトラムアナライズソフトウェア（以下、単にアナライズソフトと記す）による所定のアナライズ処理の結果である。
【００７５】
さらに、信号表示部３１ａには、測定信号Ｓの選択した信号成分にする解析処理のための各処理パラメータ（少なくとも、中心周波数、信号帯域幅、および、入力電力値）や、変調システム解析ソフトウェアの変調システムをリストとして表示することができる。
【００７６】
表示パネル３１の画像表示部３１ｂには、例えば、図１に示す表示装置３０の右端に表示されているファンクションメニューＦ１からＦ８や設定値を入力するためのキーボードが表示される。
【００７７】
タッチパネル３２は、信号表示部３１ａに表示されるグラフや画像表示部３１ｂに表示されるファンクションメニューやキーボードなどに対応する位置情報を検知信号として制御装置４０に出力する。
【００７８】
タッチパネル３２に設けられるタッチセンサ３２ａが、例えばマトリックス状に配設されたものであれば、タッチパネル３２から出力される位置情報は、タッチ位置の行方向の番地と列方向の番地との組み合わせからなる数ビットのデジタルデータとなる。
【００７９】
本実施の形態においては、例えば、表示されているグラフ任意の位置をタッチすることによって、解析処理の対象となる信号成分の選択を行うことができる。これにより、解析処理の対象となる信号成分選択を表示画面のタッチ操作のみによって行うことができるため、ユーザの直感的な操作が可能となる。
【００８０】
ＲＡＭ４１は、制御装置４０の制御動作のための作業エリアとして使用され、または、例えば一時的な記憶手段としても使用されるものである。
【００８１】
ＲＯＭ４２は、測定信号Ｓに所定の信号処理を行うためのプログラムを記憶するとともに、このプログラムの実行に伴って処理が制御されるアナライズソフトや他の解析ソフトなどを格納している。
【００８２】
アナライズソフトは、信号処理装置１００の各構成要素（１１〜２２，４０など）および表示装置３０を動作させて、表示装置３０の表示パネル３１の表示画面に、測定の対象となる測定信号Ｓを周波数と入力電力値（振幅レベル）とのスペクトラムとして、グラフにより表示するためのアプリケーションである。
【００８３】
解析ソフトは、信号処理装置１００の各構成要素（１１〜２２，４０など）および表示装置３０を動作させることによって、測定信号Ｓの所定の信号成分に対して所定の解析処理を行うためのアプリケーションである。解析ソフトは、測定信号Ｓのスペクトラムから選択された信号成分の少なくとも中心周波数、信号帯域幅および中心周波数と信号帯域幅から特定される測定対象物のＤＵＴ１の通信方式（変調システム）ごとに複数用意されている。
【００８４】
操作部５０は、例えば、信号処理装置１００を操作するためのもので、電源の投入時や測定の開始時などにユーザによって操作されるものである。操作部５０は、ユーザの操作に応じて、例えば、信号表示部３１ａに表示された信号成分を選択する際に用いることもできる。
【００８５】
図３は、本発明の実施の形態に係る携帯情報端末装置２００の機能ブロック図である。携帯情報端末装置２００は、制御装置２４０と表示装置２３０とを備える。
【００８６】
制御装置２４０は、表示装置制御部２４０ａ、信号処理制御部２４０ｂおよび通信処理部２４０ｃを含んでいる。
【００８７】
表示装置制御部２４０ａは、表示装置２３０の表示を制御するためのものであり、通信処理部２４０ｃは、信号処理装置１００との間での無線通信を行うためのものである。また、信号処理制御部２４０ｂは、通信処理部２４０ｃによる信号処理装置１００との間での無線通信を所定の期間停止させるように機能するものである。
【００８８】
なお、信号処理制御部２４０ｂは、通常、信号処理装置１００との間での通信処理部２４０ｃの無線通信機能を停止させていて、信号処理装置１００の信号処理制御部４０ｃから電波出力許可命令を受信したときに例えば一定時間、通信処理部２４０ｃの通信が実行できるようにしてもよい。
【００８９】
制御装置２４０には、ＲＡＭ２４１、格納手段としてのＲＯＭ２４２が接続されている。
【００９０】
ＲＡＭ２４１は、制御装置２４０の制御動作のための作業エリアとして使用され、または、例えば一時的な記憶手段としても使用されるものである。ＲＯＭ２４２は、携帯情報端末装置２００の動作を制御するプログラムを格納している。
【００９１】
表示装置２３０は、表示装置３０と同様に構成されており、表示パネル２３１とタッチパネル２３２とを備えている。表示パネル２３１は、例えば、制御装置２４０からの映像信号を表示する信号表示部２３１ａと、所定の画像を表示する画像表示部２３１ｂとを備えている。
【００９２】
タッチパネル２３２は、信号表示部２３１ａおよび画像表示部２３１ｂに対応して設けられ、ユーザによるタッチ操作を検知するタッチセンサ２３２ａを備えている。
【００９３】
表示装置２３０は、例えば、液晶ディスプレイ（Liquid Crystal Display）やＥＬディスプレイ（Electroluminescence Display）などの、フラットパネル・ディスプレイを用いて構成されている。
【００９４】
また、タッチパネル２３２としては、例えば、人体の一部（指先など）や静電ペンなどの接触を検知して、その検知信号を制御装置２４０に出力する静電容量方式のものを用いることができる。それに代えて、ペン先などの堅い物質の接触を検知して、その検知信号を制御装置２４０に出力する方式のものや、その他の方式（例えば、ＬＣＤパネル内にタッチパネルを内蔵するイン・セル型やオン・セル型の構造）のものであってもよい。
【００９５】
制御装置２４０から、表示装置２３０の表示パネル２３１の信号表示部２３１ａに、信号処理装置１００から受信した測定信号Ｓの解析処理の結果として例えば周波数スペクトラム波形の映像信号が入力されると、表示装置制御部２４０ａは、信号表示部２３１ａに、例えば、測定信号Ｓの周波数軸上の強度を周波数ドメイン（横軸を周波数、縦軸を振幅レベル）とする、周波数スペクトラム波形のグラフを表示する。
【００９６】
さらに、信号表示部２３１ａには、測定信号Ｓの選択した信号成分にする解析処理のための各処理パラメータ（少なくとも、中心周波数、信号帯域幅、および、入力電力値）や、変調システム解析ソフトウェアの変調システムをリストとして表示することができる。
【００９７】
表示パネル２３１の画像表示部２３１ｂには、例えば、図１に示す表示装置２３０の右端に表示されているファンクションメニューＦ１からＦ８や設定値を入力するためのキーボードが表示される。
【００９８】
タッチパネル２３２は、信号表示部２３１ａに表示されるグラフや画像表示部２３１ｂに表示されるファンクションメニューやキーボードなどに対応する位置情報を検知信号として制御装置２４０に出力する。
【００９９】
タッチパネル２３２に設けられるタッチセンサ２３２ａが、例えばマトリックス状に配設されたものであれば、タッチパネル２３２から出力される位置情報は、タッチ位置の行方向の番地と列方向の番地との組み合わせからなる数ビットのデジタルデータとなる。これにより、例えば信号成分の選択のような操作を表示画面のタッチ操作のみによって行うことができるため、ユーザの直感的な操作が可能となる。
【０１００】
図４は、本発明の実施の形態に係る信号処理装置１００と携帯情報端末装置２００との間でのタイムシーケンスの一例を示す。
【０１０１】
図４に示すように、信号処理装置１００は、ＤＵＴ１から測定信号Ｓをキャプチャ（受信）する前に、携帯情報端末装置２００に、電波出力禁止命令信号を無線送信する。ＤＵＴ１からの測定信号Ｓのキャプチャが開始されるか否かは、例えば、ＤＵＴ１からレベルトリガ信号を受信したことを信号処理制御部４０ｃが検知することによって判別する。
【０１０２】
ただし、レベルトリガ信号が設定されていないときには信号処理装置１００は常にＤＵＴ１から測定信号Ｓをキャプチャしている状態になっているため、解析を行う測定信号ＳをＤＵＴ１からキャプチャする前に、信号処理装置１００は、携帯情報端末装置２００に、電波出力禁止命令信号を無線送信する必要がある。
【０１０３】
携帯情報端末装置２００は、信号処理装置１００から電波出力禁止命令１の信号を受信すると、信号処理制御部２４０ｂが通信処理部２４０ｃによる無線通信の機能を停止させ、信号処理装置１００に、電波出力禁止命令１の信号を受信したことに対する応答信号を送信する。
【０１０４】
通信処理部２４０ｃの無線通信の機能が停止されている間、例えば、信号処理装置１００に対する設定変更のために、ユーザのタッチパネル２３２への接触によりタッチセンサ２３２ａから信号の入力があると、その入力信号は、ＲＡＭ２４１に蓄積（バッファリング）される。入力信号は無線通信によって信号処理装置１００に送信されることはない。
【０１０５】
信号処理装置１００は、携帯情報端末装置２００から、電波出力禁止命令１の信号に対する応答信号を受信すると、ＤＵＴ１からの測定信号Ｓのキャプチャを開始し、所定の信号解析を実行する。
【０１０６】
信号処理装置１００がＤＵＴ１から測定信号Ｓをキャプチャし終わると、信号処理装置１００は、携帯情報端末装置２００に、電波出力許可命令１の信号を無線送信する。
【０１０７】
携帯情報端末装置２００は、信号処理装置１００から電波出力許可命令１の信号を受信すると、その電波出力許可命令１の信号を受信したことに対し応答信号を信号処理装置１００に送信する。電波出力許可命令１の信号を受信すると、携帯情報端末装置２００では、信号処理制御部２４０ｂが通信処理部２４０ｃの無線通信の機能を復帰させる。
【０１０８】
この後、無線通信が禁止されている間にＲＡＭ２４１に信号が蓄積されている場合には、通信処理部２４０ｃはその蓄積されている信号をＲＡＭ２４１から読み出して信号処理装置１００に無線送信する。
【０１０９】
その無線送信された信号が、測定信号Ｓの解析処理の設定変更処理命令信号である場合、または、そのような設定変更処理命令信号がタッチパネル２３２から新たに入力された場合には、携帯情報端末装置２００は、信号処理装置１００に、設定変更命令１を表す設定変更処理命令信号を無線送信する。
【０１１０】
信号処理装置１００は、その設定変更処理命令信号を受信すると、ＲＯＭ４１からその設定変更処理に適した解析処理ソフトを読み出し、解析処理部４０ｂによって、ＤＵＴ１からの測定信号の信号解析を行う。
【０１１１】
次に、信号処理装置１００は、携帯情報端末装置２００に、その信号解析処理の結果である解析結果１を無線送信する。携帯情報端末装置２００は、その解析結果１を受信すると、ユーザの入力に応じて、表示装置２３０の信号表示部２３１ａに信号解析処理の結果を表す波形や数値を表示する。
【０１１２】
次に、信号処理装置１００は、新たに、ＤＵＴ１から測定信号Ｓをキャプチャ（受信）しようとする時には、携帯情報端末装置２００に、電波出力禁止命令２の信号を無線送信する。
【０１１３】
携帯情報端末装置２００は、信号処理装置１００から電波出力禁止命令信号を受信すると、信号処理制御部２４０ｂが通信処理部２４０ｃによる無線通信の機能を停止させ、信号処理装置１００に、電波出力禁止命令２の信号を受信したことに対する応答信号を送信する。
【０１１４】
信号処理装置１００が、ＤＵＴ１から測定信号Ｓをキャプチャしている間は、携帯情報端末装置２００の無線通信機能が停止される。
【０１１５】
信号処理装置１００は、携帯情報端末装置２００から、電波出力禁止命令２の信号に対する応答信号を受信すると、ＤＵＴ１からの新たな測定信号Ｓのキャプチャを開始し、所定の信号解析を実行する。
【０１１６】
信号処理装置１００がＤＵＴ１から測定信号Ｓをキャプチャし終わると、信号処理装置１００は、携帯情報端末装置２００に、電波出力許可命令２の信号を無線送信する。
【０１１７】
携帯情報端末装置２００は、信号処理装置１００から電波出力許可命令２の信号を受信すると、その電波出力許可命令２の信号を受信したことに対し応答信号を信号処理装置１００に送信する。携帯情報端末装置２００では、電波出力許可命令２の信号を受信すると、信号処理制御部２４０ｂが通信処理部２４０ｃの無線通信の機能を復帰させる。
【０１１８】
電波出力禁止期間内において設定変更処理命令信号がＲＡＭ２４１に蓄積されていた場合には、携帯情報端末装置２００は、その設定変更命令２の信号を信号処理装置１００に送信し、信号処理装置１００はその設定変更命令２を実行する。
【０１１９】
次に、信号処理装置１００は、携帯情報端末装置２００に、解析結果２を無線送信する。携帯情報端末装置２００は、その解析結果２を受信すると、ユーザの入力に応じて、表示装置２３０の信号表示部２３１ａに信号解析処理の結果を表す波形や数値を表示する。
【０１２０】
これ以後の測定では、これまでと同様の処理が繰り返される。
【０１２１】
図５は、本発明の実施の形態に係る信号処理装置１００における電波出力禁止処理および測定信号の解析処理を実行する際のフローチャートの一例を示す。なお、このフローチャートは、測定信号Ｓをキャプチャしてその測定信号Ｓを解析処理し、それからその解析処理の結果を表示するまでの区間内の処理の流れを表しているので、ＤＵＴ１から連続波が出力されていて定期的に測定信号Ｓをキャプチャする場合には、そのキャプチャを行う区間ごとに、図５のフローチャートが繰り返されるものとする。
【０１２２】
ＤＵＴ１から連続波が出力されているので、測定信号Ｓをキャプチャする前に、電波出力禁止処理を行う（ステップＳ４０）。つまり、信号処理装置１００の信号処理制御部４０ｃが、通信処理部４０ｄを経由して、携帯情報端末装置２００に対し電波出力禁止命令信号を無線送信する（ステップＳ４０）。
【０１２３】
次に、制御装置４０は、ＤＵＴ１からの測定信号Ｓのキャプチャを開始する（ステップＳ４１）。
【０１２４】
測定信号Ｓがキャプチャされると、解析処理部４０ｂが測定信号Ｓの解析処理を実行する（ステップＳ４２）。
【０１２５】
続いて、所定時間経過すると、制御装置４０は、測定信号Ｓのキャプチャを終了する（ステップＳ４３）。
【０１２６】
信号処理制御部４０ｃは、ＤＵＴ１からの測定信号Ｓのキャプチャが終了したことを検知すると、通信処理部４０ｄを経由して、携帯情報端末装置２００に対し電波出力許可命令信号を無線送信する（ステップＳ４４）。
【０１２７】
続いて、制御装置４０は、電波出力許可命令信号の送信後に、携帯情報端末装置２００から設定変更命令信号を受信したか否かを判別し（ステップＳ４５）、受信していないと判別したときには、ステップＳ４２で実行された信号解析処理の結果を表す波形や数値を表示装置３０または無線通信を介して表示装置２３０に表示する（ステップＳ４７）。
【０１２８】
ステップＳ４５において携帯情報端末装置２００から設定変更命令信号を受信したと判別されたときには、解析処理部４０ｂが、設定変更命令に伴ってユーザの指定する解析処理に適した解析ソフトをＲＯＭ４２から読み出して、測定信号Ｓに対しその解析ソフトによってユーザ所望の解析処理を行う（ステップＳ４６）。
【０１２９】
ステップＳ４６の後には、制御装置４０は、表示装置３０に、または無線通信を介して表示装置２３０に、その設定変更命令に伴う解析処理の結果を表す波形や数値を表示する（ステップＳ４７）。
【０１３０】
上記の実施の形態では、信号キャプチャの終了前に、キャプチャした測定信号Ｓの信号解析処理（ステップＳ４２）を実行したが、信号解析処理は、信号キャプチャ終了後に行ってもよい。また、上記の実施の形態では、結果表示の処理（ステップＳ４７）を信号キャプチャ終了後の設定変更命令信号の受信の有無の確認後に行っているが、結果表示の処理（ステップＳ４７）は、ステップＳ４２の信号解析処理後のどの段階で実行してもよい。
【０１３１】
図６は、本発明の他の実施の形態に係る信号処理装置における電波出力許可処理の一例のフローチャートを示す図である。
【０１３２】
図５の電波出力禁止を実行するフローチャートでは、信号のキャプチャを開始する（ステップＳ４１）前に、信号処理装置１００の信号処理制御部４０ｃが、通信処理部４０ｄを経由して、携帯情報端末装置２００に対し電波出力禁止命令信号を無線送信することによって、携帯情報端末装置２００の電波出力を禁止している。
【０１３３】
これに対し、図６のフローチャートの処理では、携帯情報端末装置２００は、通常、電波出力が禁止された状態にあり、信号処理装置１００の信号処理制御部４０ｃから電波出力許可処理の信号を受信した後一定時間だけ電波出力が許可されることになる。
【０１３４】
つまり、最初に、信号処理装置１００の信号処理制御部４０ｃが、電波出力許可信号を出力後一定時間経過したか否かを判別する（ステップＳ５０）。一定時間を経過していない場合には、信号処理制御部４０ｃはステップＳ５０の判別を繰り返し行う。
【０１３５】
ステップＳ５０において、信号処理制御部４０ｃが、電波出力許可信号を出力後一定時間経過したと判別すると、制御装置４０が、ＤＵＴ１からの測定信号Ｓのキャプチャを開始し、解析処理部４０ｂが、測定信号Ｓの解析処理を実行する（ステップＳ５１）。
【０１３６】
それから、信号処理制御部４０ｃは、制御装置４０による信号キャプチャが終了したか否かを判別し（ステップＳ５２）、信号キャプチャがまだ終了していないときには、信号処理制御部４０ｃは、ステップＳ５２の判別を繰り返す。
【０１３７】
ステップＳ５２において、信号処理制御部４０ｃは、ＤＵＴ１からの測定信号Ｓのキャプチャが終了したことを検知すると、通信処理部４０ｄを経由して、携帯情報端末装置２００に対し電波出力許可命令信号を無線送信する（ステップＳ５３）。
【０１３８】
続いて、制御装置４０は、電波出力許可命令信号の送信後に、携帯情報端末装置２００から設定変更命令信号を受信したか否かを判別し（ステップＳ５４）、受信していないと判別したときには、ステップＳ５１で実行された信号解析処理の結果を表す波形や数値を表示装置３０または無線通信を介して表示装置２３０に表示する（ステップＳ５６）。
【０１３９】
ステップＳ５４において携帯情報端末装置２００から設定変更命令信号を受信したと判別されたときには、解析処理部４０ｂが、設定変更命令に伴ってユーザの指定する解析処理に適した解析ソフトをＲＯＭ４２から読み出して、測定信号Ｓに対しその解析ソフトによってユーザ所望の解析処理を行う（ステップＳ５５）。
【０１４０】
ステップＳ５５の後には、制御装置４０は、表示装置３０に、または無線通信を介して表示装置２３０に、その設定変更命令に伴う解析処理の結果を表す波形や数値を表示する（ステップＳ５６）。
【０１４１】
図６の実施の形態では、信号キャプチャの処理（ステップＳ５１）は、電波出力許可信号を出力後一定時間経過したことを判別した後に実行するようにしているが、電波出力許可信号の出力期間を、信号キャプチャを実行していないことを判別したときに限定したり、信号処理の結果のデータを信号処理装置１００から携帯情報端末装置２００に送信する際に限定したりするようにしてもよい。
【０１４２】
図６の実施の形態では、信号キャプチャの終了前に、キャプチャした測定信号Ｓの信号解析処理（ステップＳ５１）を実行したが、信号解析処理は、信号キャプチャ終了後に行ってもよい。また、上記の実施の形態では、結果表示の処理（ステップＳ５６）を信号キャプチャ終了後の設定変更命令信号の受信の有無の確認後に行っているが、結果表示の処理（ステップＳ５６）は、ステップＳ５１の信号キャプチャおよび信号解析処理後のどの段階で実行してもよい。
【０１４３】
図５および図６の実施の形態は、ＤＵＴ１から、連続する測定信号が送信されている状態において信号処理装置１００が例えば定期的に測定信号を取得するという構成に関するものであるが、信号処理装置１００がバースト波を取得するという構成にも同様に適用することができる。
【０１４４】
上記した本実施の形態では、本発明に係る信号処理装置をスペクトラムアナライザなどの信号処理装置１００に適用した場合を例に説明したが、これに限らず、例えばスペクトラムアナライザ以外の汎用測定器にも同様に適用可能である。
【０１４５】
上記の本発明の実施の形態によると、測定対象物のＤＵＴ１から測定信号Ｓが同軸ケーブルを経由して送信されている間、携帯情報端末装置２００から信号処理装置１００への無線通信は停止されている。このため、同軸ケーブルを経由して送信されている測定信号Ｓは、携帯情報端末装置２００から信号処理装置１００への無線通信の影響を受けることがない。この結果、測定信号Ｓの解析処理された結果に、その無線通信の影響によるノイズが含まれることはない。
【０１４６】
本発明は上記した実施の形態に限定されるものでなく、特許請求の範囲の技術的範囲には、発明の要旨を逸脱しない範囲内で種々、設計変更した形態が含まれる。
【符号の説明】
【０１４７】
１  ＤＵＴ
１０  信号処理部
３０、２３０  表示装置
４０、２４０  制御装置
４０ａ  表示装置制御部
４０ｂ  解析処理部
４０ｃ  信号処理制御部
４０ｄ  通信処理部
４１、２４１  ＲＡＭ
４２、２４２  ＲＯＭ
５０  操作部
１００  信号処理装置
２００  携帯情報端末装置
２４０ａ  表示装置制御部
２４０ｂ  信号処理制御部
２４０ｃ  通信処理部
【図１】
2015129732.tif 000003
【図２】
2015129732.tif 000004
【図３】
2015129732.tif 000005
【図４】
2015129732.tif 000006
【図５】
2015129732.tif 000007
【図６】
2015129732.tif 000008